(57)【要約】【課題】据付作業性の向上及び据付作業費の低減化が図られて、かつ、安全性に優れたエレベーターの据付方法の提供を目的とする。【解決手段】上記目的は、頂部プーリ７を頂部ビーム６に取り付けるとともに、揚重機９から揚重ロープ９Ａの引き出してその揚重ロープ９Ａを頂部プーリ７に巻き掛けた後、その揚重ロープ９Ａの一端を昇降路頂部の天井壁１Ｂに取り付け、その後、揚重機９を駆動して頂部プーリ７と一緒に頂部ビーム６を吊り上げてガイドレール２、３の頂部近傍に頂部ビーム６を固定することにより、達成できる。【選択図】      図３
2004331348.tif 000002
【特許請求の範囲】
【請求項１】
昇降路頂部に取り付けた揚重機によって頂部プーリが取り付けられる頂部ビームを吊り上げた後、その頂部ビームを昇降路内に垂設したガイドレールの頂部近傍に固定するようにしたエレベーターの据付方法において、
前記頂部プーリを前記頂部ビームに取り付けるとともに、前記揚重機から揚重ロープの引き出してその揚重ロープを前記頂部プーリに巻き掛けた後、その揚重ロープの一端を昇降路頂部に取り付け、その後、前記揚重機を駆動して前記頂部プーリと一緒に前記頂部ビームを吊り上げて前記ガイドレールの頂部近傍に前記頂部ビームを固定することを特徴とするエレベーターの据付方法。
【請求項２】
前記頂部プーリの前記頂部ビームへの取り付けは、前記揚重機から揚重ロープの引き出してその揚重ロープを前記頂部プーリに巻き掛けた後、その揚重ロープの一端を昇降路頂部に取り付け、その後、前記揚重機を駆動して前記頂部プーリを吊り上げた状態で前記頂部ビームに取り付けることを特徴とする請求項１記載のエレベーターの据付方法。
【請求項３】
前記揚重機を駆動して前記頂部プーリと一緒に前記頂部ビームを吊り上げる際、前記頂部ビームが前記ガイドレールに案内されて上方に移動することを特徴とする請求項１若しくは２記載のエレベーターの据付方法。
【請求項４】
前記頂部ビームには、前記頂部プーリとは別に、追加プーリを並設して、この追加プーリと前記頂部プーリに、前記揚重ロープを巻き掛けた状態で、前記頂部ビームを吊り上げることを特徴とする請求項１、２若しくは３記載のエレベーターの据付方法。
【発明の詳細な説明】
【０００１】
【発明の属する技術分野】
本発明は、機械室のないエレベーターにおける頂部ビームの据付作業に好適なエレベーターの据付方法に関するものである。
【０００２】
【従来の技術】
従来、機械室のないエレベーターにおいては、昇降路内の頂部（以下、昇降路頂部と称す）近傍に重量物である頂部ビームを設置し、その頂部ビームに、乗りかごとカウンタウエートを昇降させるための主ロープを巻き掛けるところの重量物である頂部プーリを取り付けるようにしていた。
【０００３】
そして、重量物である頂部ビーム（巻上機などのエレベーター用機器類の支持台）を昇降路頂部に設置するには、ホイスト、チェーンブロックなどの揚重機と第一滑車（上部プーリ）を昇降路頂部に取り付け、かつ、前記揚重機よりも下方に位置する場所に第二滑車（下部プーリ）を取り付けるとともに、前記揚重機から揚重ロープを引き出してその揚重ロープを前記第二滑車と前記第一滑車に巻き掛けた後、その揚重ロープの一端を頂部ビームに取り付けたならば、前記揚重機を駆動させて揚重ロープを巻き取ることで頂部ビームを昇降路頂部近傍に吊り上げて、その頂部ビームを昇降路内に垂設したガイドレールの頂部近傍に固定するようにしていた（例えば、特許文献１参照）。
【０００４】
【特許文献１】
特開２００２−３３２１７４号公報
（２頁の右段１８行〜３頁の左段９行、図１）
【０００５】
【発明が解決しようとする課題】
上記従来の技術では、エレベーターの据付作業時、頂部ビームを昇降路頂部近傍に吊り上げるのに、揚重機以外に、第一滑車及び第二滑車が少なくとも設けなければならず、しかも、頂部ビームを吊り上げてその頂部ビームを所定の位置に固定した後、エレベーターの据付作業が終了したならば、揚重機と一緒に、第一滑車及び第二滑車を取り外して、昇降路から搬出しなければならないので、第一滑車及び第二滑車の取り付け及び取り外しの作業並びに第一滑車及び第二滑車の搬入搬出のための運搬作業が必要であり、エレベーターの据付作業性が悪いという問題点があった。
【０００６】
さらに、エレベーターの据付作業にしか使用しない第一滑車及び第二滑車を、製作しなければならず、第一滑車及び第二滑車の取り付け及び取り外しの作業並びに第一滑車及び第二滑車の運搬作業の必要性と相俟って、エレベーターの据付作業費の高騰を招いているという問題点があった。
【０００７】
本発明の目的は、上述した問題点にかんがみ、据付作業性の向上及び据付作業費の低減化を図り得るエレベーターの据付方法を提供することにある。
【０００８】
【課題を解決するための手段】
上記目的は、昇降路頂部に取り付けた揚重機によって頂部プーリが取り付けられる頂部ビームを吊り上げた後、その頂部ビームを昇降路内に垂設したガイドレールの頂部近傍に固定するようにしたエレベーターの据付方法において、前記頂部プーリを前記頂部ビームに取り付けるとともに、前記揚重機から揚重ロープの引き出してその揚重ロープを前記頂部プーリに巻き掛けた後、その揚重ロープの一端を昇降路頂部に取り付け、その後、前記揚重機を駆動して前記頂部プーリと一緒に前記頂部ビームを吊り上げて前記ガイドレールの頂部近傍に前記頂部ビームを固定するようにすることにより、達成できる。
【０００９】
かかる据付方法によれば、エレベーターの据付作業時にのみ使用する部品である第一滑車及び第二滑車を使用することなく、乗りかごとカウンタウエートを昇降させるための主ロープを巻き掛けるところの頂部プーリを使用して、頂部プーリと一緒に前記頂部ビームを吊り上げるので、第一滑車及び第二滑車が不要となり、エレベーターの据付作業性の向上及びエレベーターの据付作業費の低減化が図られる。
【００１０】
【発明の実施の形態】
以下，本発明のエレベーターの据付方法の実施形態を、図面に基づいて説明する。図１は、本発明の一実施形態の据付方法により頂部ビームに頂部プーリを取り付けた状態におけるエレベーターの昇降路内の概略説明図である。図２は、本発明の一実施形態を示し、揚重ロープを頂部プーリに巻き掛けた状態の概略説明図である。図３は、本発明の一実施形態を示し、頂部ビームに頂部プーリを取り付けた状態の概略説明図である。図４は、本発明の一実施形態を示し、頂部ビームを頂部プーリと一緒に、ガイドレールの頂部に吊り上げた状態の概略説明図である。図５は、本発明の一実施形態を示し、ガイドレールの頂部に吊り上げた頂部ビームをガイドレールの頂部に固定した状態の概略説明図である。
【００１１】
図１において、建物等に設置されたエレベーターの昇降路１内には、乗りかご（図示せず）用の一対のガイドレール２とカウンタウエート（図示せず）用の一対のガイドレール３が垂設されている。昇降路１内の頂部１Ａ（以下、昇降路頂部１Ａと称す）の天井壁１Ｂには、乗りかご及びカウンタウエートを昇降路１内に据え付ける際に、その乗りかご及びカウンタウエートを吊り上げるための吊り金具４が取り付けられている。昇降路１内には、エレベーターの据付作業時、その昇降路１のピット内底１Ｃから天井壁１Ｂの近傍に至る作業足場５が設置される。作業足場５は、分解組立が容易な構造になっており、据付作業が完了したならば、分解して昇降路１から搬出されるものである。
【００１２】
頂部ビーム６は、鋼製の重量物であって、ガイドレール２及びガイドレール３の上方に固定される。頂部ビーム６は、乗りかご用の一対のガイドレール２のうち、一本のガイドレール２と、カウンタウエート用の一対のガイドレール３のうち、一本のガイドレール３とに、固定される。頂部プーリ７は、鋼製の重量物であって、乗りかごとカウンタウエートを昇降させるための主ロープ（図示せず）が巻き掛けられるものである。頂部プーリ７は、ガイドレールクリップ８を用いて頂部ビーム６に取り付けられ、しかも、図１に示すように、頂部ビーム６の下面より下方に位置している。昇降路頂部１Ａの天井壁１Ｂに取り付けた吊り金具４には、頂部プーリ７を単独で吊り上げたり、あるいは頂部プーリ７と一緒に頂部ビーム６を吊り上げたりするための、ホイストからなる揚重機９が取り外し可能に設置される。揚重機９から引き出した揚重ロープ９Ａは、図１に示すように、頂部プーリ７に巻き掛けた後、その揚重ロープ９Ａの一端に設けた第二フック９Ｃを吊り金具４に取り付けるようにしてある。
【００１３】
頂部プーリ７には、その頂部プーリ７を頂部ビーム６に固定するのに使用する一対の吊りロッド７Ａが設けられている。頂部ビーム６には、一対の吊りロッド７Ａを頂部ビーム６に固定するのに使用する一対のロッド吊り金具１０が設けられている。頂部プーリ７は、吊りロッド７Ａをロッド吊り金具１０に、ロッド固定金具１１で固定することにより、頂部ビーム６に固定される
頂部ビーム６と頂部プーリ７の据付方法による作業手順は、図２〜図５に基づいて、説明すると、次のとおりである。
【００１４】
（１）始めに、据付作業者が、作業足場５の上部に乗り、揚重機９の本体ケース上面に設けた第一フック９Ｂを昇降路頂部１Ａの天井壁１Ｂに取り付けた吊り金具４に引っ掛けることにより、揚重機９を設置する。
【００１５】
（２）次に、頂部ビーム６を、揚重機９から引き出した揚重ロープ９Ａで吊り上げた後、その吊り上げた状態で頂部ビーム６を、その頂部ビーム６の長手方向が略水平となるように、ガイドレールクリップ８を用いて、ガイドレール２及びガイドレール３に固定する。なお、頂部ビーム６の固定位置は、作業足場５上の据付作業者が、頂部プーリ７をガイドレール２及びガイドレール３に取り付けるための作業を安全に、かつ、容易に行うことのできる高さとしてある。
【００１６】
（３）次に、揚重機９から引き出した揚重ロープ９Ａを頂部ビーム６から外して、その揚重ロープ９Ａを予め作業足場５上に吊り上げておいた頂部プーリ７に巻き掛けた後、その揚重ロープ９Ａの一端に設けた第二フック９Ｃを、図２に示すように、昇降路頂部１Ａの天井壁１Ｂに取り付けた吊り金具４に引っ掛けることにより、揚重ロープ９Ａの一端を昇降路頂部１Ａに取り付ける。
【００１７】
（４）次に、揚重ロープ９Ａの一端を昇降路頂部１Ａに取り付けたならば、作業足場５上の据付作業者が頂部プーリ７を軽く保持した状態で揚重機９を駆動させて揚重ロープ９Ａを巻き取ることにより、頂部プーリ７に設けた吊りロッド７Ａが頂部ビーム６に設けたロッド吊り金具１０に嵌合可能な高さまで、頂部プーリ７を吊り上げた後、その吊り上げた状態で、図３に示すように、ロッド固定金具１１によって吊りロッド７Ａをロッド吊り金具１０に取り付けることによって、頂部プーリ７を頂部ビーム６に固定する。
【００１８】
（５）頂部プーリ７を頂部ビーム６に固定したならば、ガイドレールクリップ８を緩めて、頂部ビーム６がガイドレール２及びガイドレール３に沿って上方に摺動可能な状態にする。
【００１９】
（６）頂部ビーム６を、ガイドレール２及びガイドレール３に沿って上方に摺動可能な状態にしたならば、図４に示すように、揚重機９を駆動して揚重ロープ９Ａを巻き上げて、頂部ビーム６をガイドレール２及びガイドレール３に沿って上方に移動させることで、頂部プーリ７と一緒に頂部ビーム６を所定の位置に吊り上げる。
【００２０】
（７）頂部プーリ７と一緒に頂部ビーム６を所定の位置に吊り上げたならば、再度、ガイドレールクリップ８を締め付けて頂部ビーム６をガイドレール２及びガイドレール３に固定するとともに、一対のビーム受け台１２を、図５に示すように、ガイドレール２及びガイドレール３に取り付ける。
【００２１】
上記（１）から（７）の作業手順で、頂部ビーム６と頂部プーリ７の据付作業を行えば、次のような、利点が得られる。
【００２２】
（イ）乗りかごとカウンタウエートを昇降させるための主ロープを巻き掛けるところの頂部プーリ７を使用して、頂部プーリ７と一緒に頂部ビーム６を吊り上げるので、エレベーターの据付作業時にのみ使用する部品である第一滑車及び第二滑車が不要となる。したがって、据付作業に備えて第一滑車及び第二滑車を製作することや、据付作業時に第一滑車及び第二滑車を、運搬したり、取り付けたり、取り外したりすることがなくなるので、エレベーターの据付作業性の向上及びエレベーターの据付作業費の低減化が図られる。
【００２３】
（ロ）揚重機９の揚重ロープ９Ａによる吊り位置が頂部ビーム６の下面より下方に位置している頂部プーリ７の底部まで下がるので、昇降路頂部１Ａの天井壁１Ｂから約４００〜５００ｍｍ下がった位置まで、頂部ビーム６を容易に揚重機９で吊り上げることができる。
【００２４】
（ハ）頂部プーリ７と一緒に頂部ビーム６を吊り上げる際、頂部ビーム６はガイドレール２、３に案内されるので、頂部ビーム６が傾いたり、揺動したりすることがなく、安全である。また、上記（５）の工程で、ガイドレールクリップ８を緩めても、揚重機９で頂部プーリ７が吊り上げられているので、頂部ビーム６が落下することがなく、安全である。
【００２５】
（ニ）頂部プーリ７と一緒に頂部ビーム６を所定の位置まで吊り上げた後に行う頂部ビーム６のガイドレール２、３への固定作業や一対のビーム受け台１２の取り付け作業は、頂部プーリ７と一緒に頂部ビーム６が吊り上げられた状態で行われるので、容易に、かつ、安全に行うことができる。
【００２６】
（ホ）頂部プーリ７を頂部ビーム６に固定する場合も、重量物である頂部プーリ７を揚重機９で吊り上げた状態で、頂部プーリ７に設けた吊りロッド７Ａを頂部ビーム６に設けたロッド吊り金具１０に、ロッド固定金具１１によって取り付けることができるので、頂部プーリ７の頂部ビーム６への取り付け作業を、容易に、かつ、安全に行うことができる。
【００２７】
図６は、本発明の他実施形態その１を示し、頂部ビーム６を頂部プーリ７と一緒に、ガイドレール２、３の頂部に吊り上げた状態の概略説明図である。図６において、図１乃至図５と同一符号部分は、同一内容を表している。図６の他実施形態その１では、ホイストからなる揚重機９に換えてチェーンブロック１３により、重量物である頂部プーリ７を吊り上げるようにしている。すなわち、図６に示すように、チェーンブロック１３をチェーンブロック用第一フック１３Ｂによって吊り金具４に取り付けた後、チェーン１３Ａを頂部プーリ７に巻き掛け、その後、そのチェーン１３Ａの一端に設けたチェーンブロック用第二フック１３Ｃを吊り金具４に取り付ければよい。この場合、頂部プーリ７を吊り上げるには、チェーン１３Ａの他端側１３Ｄを下方に引っ張ればよい。図６の他実施形態その１においても、上記（イ）〜（ホ）の利点が得られる。
【００２８】
さらに、図７は、本発明の他実施形態その２を示し、頂部ビーム６を頂部プーリ７と一緒に、ガイドレール２、３の頂部に吊り上げた状態の概略説明図である。図７において、図１乃至図５と同一符号部分は、同一内容を表している。
【００２９】
図７の他実施形態その２では、頂部ビーム６に、頂部プーリ７と追加プーリ１４を、頂部ビーム６の長手方向に沿って並設するようにしたものである。図７の他実施形態その２の追加プーリ１４は、頂部プーリ７と同一構造であって、頂部プーリ７と同様に、吊りロッド７Ａとロッド吊り金具１０とロッド固定金具１１によって、頂部ビーム６に取り付けられる。
【００３０】
図７の他実施形態その２では、図７に示すように、揚重ロープ９Ａを頂部プーリ７と追加プーリ１４とに巻き掛けた後、その揚重ロープ９Ａの一端に設けた第二フック９Ｃを昇降路頂部１Ａの天井壁１Ｂに取り付けた吊り金具１７に引っ掛けた状態で、頂部ビーム６を吊り上げるようにしたものである。吊り金具１７は、図７に示すように、揚重機９の本体ケース上面に設けた第一フック９Ｂを引っ掛けるための吊り金具４から水平方向に離れた位置に設けられる。
【００３１】
図７の他実施形態その２によれば、頂部ビーム６が水平方向に非常に長くても、頂部ビーム６と頂部プーリ７を吊り上げた時、頂部ビーム６を傾かせることなく、頂部ビーム６の長手方向を略水平に保持することができ、安全である。
【００３２】
さらに、図８は、本発明の他実施形態その３を示し、頂部ビーム６を頂部プーリ７と一緒に、ガイドレール２、３の頂部に吊り上げた状態の概略説明図である。図８において、図１乃至図５と同一符号部分は、同一内容を表している。
【００３３】
図８の本発明の他実施形態その３では、頂部ビーム６に、頂部プーリ７と追加プーリとを、頂部ビーム６の長手方向に沿って並設するようにしたものである。図８の他実施形態その２の追加プーリは、小形プーリ１５からなっている。小形プーリ１５は、頂部ビーム６に固定した支持体１６の下端に回転自在に取り付けられている。
【００３４】
図８の他実施形態その３によれば、図７の他実施形態その２と同様に、頂部ビーム６が水平方向に非常に長くても、頂部ビーム６と頂部プーリ７を吊り上げた時、頂部ビーム６を傾かせることなく、頂部ビーム６の長手方向を略水平に保持することができ、安全である。
【００３５】
上記いずれの実施形態においても、吊り金具４、１７は、予め昇降路頂部１Ａの天井壁１Ｂに取り付けられたものとしているが、これに限定されない。据付作業時に、吊り金具４、１７を昇降路頂部１Ａの天井壁１Ｂに取り付けるようにしてもよい。
【００３６】
また、上記作業手順おいて、頂部プーリ７に設けた吊りロッド７Ａが頂部ビーム６に設けたロッド吊り金具１０に嵌合可能な高さまで、頂部プーリ７を揚重機９により吊り上げた状態で、ロッド固定金具１１によって吊りロッド７Ａをロッド吊り金具１０に取り付けることによって、頂部プーリ７を頂部ビーム６に固定するようにしているが、これに限定されない。頂部プーリ７が軽量の場合には、作業足場５上の据付作業者が頂部プーリ７を持ち上げてその頂部プーリ７を頂部ビーム６に固定するようにしてもよい。
【００３７】
また、上記いずれの実施形態においても、乗りかご用の一対のガイドレール２のうち、一本のガイドレール２と、カウンタウエート用の一対のガイドレール３のうち、一本のガイドレール３とに、頂部ビーム６を固定するようにしているが、これに限定されない。乗りかご用の一対のガイドレール２に、あるいはカウンタウエート用の一対のガイドレール３に、頂部ビーム６をそれぞれ固定するようにしてもよい。
【００３８】
【発明の効果】
以上のように、本願の請求項１に係る発明によれば、頂部プーリを頂部ビームに取り付けるとともに、揚重機から揚重ロープの引き出してその揚重ロープを頂部プーリに巻き掛けた後、その揚重ロープの一端を昇降路頂部に取り付け、その後、揚重機を駆動して頂部プーリと一緒に頂部ビームを吊り上げてガイドレールの頂部近傍に頂部ビームを固定するようにしたので、エレベーターの据付作業性の向上及びエレベーターの据付作業費の低減化が図られるエレベーターの据付方法が得られた。
【００３９】
また、本願の請求項２に係る発明によれば、頂部プーリの頂部ビームへの取り付けは、揚重機から揚重ロープの引き出してその揚重ロープを頂部プーリに巻き掛けた後、その揚重ロープの一端を昇降路頂部に取り付け、その後、揚重機を駆動して頂部プーリを吊り上げた状態で頂部ビームに取り付けるようにしたので、頂部プーリ７の頂部ビーム６への固定作業を簡単にかつ容易に行うことのできるエレベーターの据付方法が得られた。
【００４０】
また、本願の請求項３に係る発明によれば、頂部ビームがガイドレールに案内されて上方に移動するので、頂部ビームが傾いたり、揺動したりすることがなく、頂部プーリと一緒に頂部ビームを吊り上げることのできる安全性に優れたエレベーターの据付方法が得られた。
【００４１】
また、本願の請求項４に係る発明によれば、頂部ビームには、頂部プーリとは別に、追加プーリを並設して、この追加プーリと頂部プーリに、揚重ロープを巻き掛けた状態で、前記頂部ビームを吊り上げるようにしたので、頂部ビームが水平方向に非常に長くても、その頂部ビームを傾かせることのない安全性に優れたエレベーターの据付方法が得られた。
【図面の簡単な説明】
【図１】本発明の一実施形態の据付方法により頂部ビームに頂部プーリを取り付けた状態におけるエレベーターの昇降路内の概略説明図である。
【図２】本発明の一実施形態を示し、揚重ロープを頂部プーリに巻き掛けた状態の概略説明図である。
【図３】本発明の一実施形態を示し、頂部ビームに頂部プーリを取り付けた状態の概略説明図である。
【図４】本発明の一実施形態を示し、頂部ビームを頂部プーリと一緒に、ガイドレールの頂部に吊り上げた状態の概略説明図である。
【図５】本発明の一実施形態を示し、ガイドレールの頂部に吊り上げた頂部ビームをガイドレールの頂部に固定した状態の概略説明図である。
【図６】本発明の他実施形態その１を示し、頂部ビームを頂部プーリと一緒に、ガイドレールの頂部に吊り上げた状態の概略説明図である。
【図７】本発明の他実施形態その２を示し、頂部ビームを頂部プーリと一緒に、ガイドレールの頂部に吊り上げた状態の概略説明図である。
【図８】本発明の他実施形態その３を示し、頂部ビームを頂部プーリと一緒に、ガイドレールの頂部に吊り上げた状態の概略説明図である。
【符号の説明】
１    昇降路
１Ａ  昇降路頂部
１Ｂ  天井壁
１Ｃ  ピット内底
２    一対の乗りかご用のガイドレール
３    一対のつりあいおもり用のガイドレール
４    吊り金具
５    作業足場
６    頂部ビーム
７    頂部プーリ
７Ａ  吊りロッド
８    ガイドレールクリップ
９    揚重機
９Ａ  揚重ロープ
９Ｂ  第一フック
９Ｃ  第二フック
１０  ロッド吊り金具
１１  ロッド固定金具
１２  ビーム受け台
１３  チェーンブロック
１３Ａ  チェーン
１３Ｂ  チェーンブロック用第一フック
１３Ｃ  チェーンブロック用第二フック
１３Ｄ  チェーンの他端側
１４  追加プーリ
１５  小形プーリ（他実施形態その３の追加プーリ）
１６  支持体
１７  吊り金具
【図１】
2004331348.tif 000003
【図２】
2004331348.tif 000004
【図３】
2004331348.tif 000005
【図４】
2004331348.tif 000006
【図５】
2004331348.tif 000007
【図６】
2004331348.tif 000008
【図７】
2004331348.tif 000009
【図８】
2004331348.tif 000010